(57)【要約】【課題】乾電池の交換を繰り返しても電極間の接触状態が安定し、かつ、乾電池の交換が簡易に可能な乾電池ケースを提供すること。【解決手段】乾電池収納部２は、開口部３と、一方の面に板電極１３が取り付けられた開口部３を閉じる電池蓋１０と、乾電池２０のマイナス極端子２０ｂに接触し、かつ、乾電池２０を付勢するコイルバネ７と、乾電池２０を収納する際に電池蓋１０を付勢するコイルバネ６とから構成し、電池蓋１０をコイルバネ６の付勢に抗って押し込んで開口部３を閉じることにより、乾電池２０のプラス極端子２０ａが電池蓋１０に取り付けられた板電極１３に接触させるとともに、コイルバネ６が板電極１３に接触して、電子機器１の電子回路と、乾電池２０のプラス極端子２０ａとマイナス極端子２０ｂとが接続されるようにした。【選択図】図４
2020030923.tif 000002
【特許請求の範囲】
【請求項１】
乾電池を収納するための開口部と、
一方の面に導電性部材により形成される電極が設けられた前記開口部を閉じる蓋と、
電子機器の回路と接続し、前記乾電池の一方の極に接触し、かつ、該一方の極と相対する他方の極の方向に前記乾電池を付勢する導電性部材により形成される第１の付勢部材と、
前記電子機器の回路と接続し、前記乾電池の前記他方の極側に設けられ、前記乾電池を収納する際に前記蓋を付勢する導電性部材により形成される第２の付勢部材と、を備えた乾電池収納ケースであって、
前記蓋を前記第２の付勢部材の付勢に抗って押し込んで前記開口部を閉じることにより、前記乾電池の前記他方の極が前記蓋に取り付けられた前記電極に接触させるとともに、前記第２の付勢部材が前記電極に接触して、前記電子機器の回路と、前記乾電池の前記一方の極と前記他方の極とが接続されて前記乾電池が収納されることを特徴とする乾電池収納ケース。
【請求項２】
前記第２の付勢部材は、内径が収納する前記乾電池の外径よりやや大きい円柱状のコイルバネであり、該コイルバネに前記乾電池を貫通させて、前記乾電池を収納することを特徴とする請求項１に記載の乾電池収納ケース。
【請求項３】
前記蓋の側面には弾性部材で形成されるシール部材が取り付けられ、前記蓋が前記開口部を閉じると、前記開口部が前記シール部材でシーリングされることを特徴とする請求項１または２に記載の乾電池収納ケース。
【請求項４】
前記シール部材はＯリングであることを特徴とする請求項３に記載の乾電池収納ケース。
【請求項５】
前記蓋の側面には少なくとも１つの凸部が設けられるとともに、前記開口部には該凸部と嵌合する案内溝と該案内溝と連結するロック部が設けられていることを特徴とする請求項１乃至４のいずれか１項に記載の乾電池収納ケース。
【請求項６】
前記蓋に設けられた前記電極の上面周辺部には、非導電性部材で形成され、高さが前記乾電池のプラス極端子の高さより低い、少なくとも１つのスペーサが設けられていることを特徴とする請求項１乃至５のいずれか１項に記載の乾電池収納ケース。
【発明の詳細な説明】
【技術分野】
【０００１】
本願に開示の技術は、乾電池で駆動する機器の電池収容ケースに関するものである。
【背景技術】
【０００２】
従来より、乾電池で駆動する機器における乾電池収納ケース（電池収納室）が、例えば、特許文献１などに開示されている。
【０００３】
特許文献１に開示されているリモートコントロール装置の電池収納室は、電池収納室の奥に設けられた乾電池の−極に接触させるための電極バネと、電池収納室の開口部に設けられた乾電池の＋極に接続させるための固定電極と、電池収納室を閉じる電池蓋の内面に設けられた乾電池の＋極及び固定電極に接触して固定電極と乾電池の＋極とを接続する接続用電極とからなり、電池蓋を電池収納室の開口部にねじ込んではめると乾電池の＋極と電池蓋の接続用電極とが接触し、さらに電池蓋を締め付けて十分な防水性が得られるまでパッキンが押し潰されると、電池蓋の接続用電極と固定電極とが接触し、乾電池が通電状態となるようになっている。
【先行技術文献】
【特許文献】
【０００４】
【特許文献１】特開２００１−３３０２６３号公報
【発明の開示】
【発明が解決しようとする課題】
【０００５】
特許文献１に記載されたリモートコントロール装置の電池収納室は、乾電池を交換する度に電池蓋の接続用電極と固定電極とが接触するため、固定電極が摩耗し、接触不良が生じる恐れがある。また、固定電極が摩耗した場合、電池蓋の接続用電極と固定電極とを接触させるために過度に電池蓋をねじ込むことによりパッキンが破損し、十分な防水性が得られなくなる恐れもある。また、電池蓋の接続用電極と固定電極とが接触するまで電池蓋をねじ込まなくてはいけないので作業が煩雑となり作業性が悪いという問題がある。
【０００６】
本願に開示される技術は、上記の課題に鑑み提案されたものであって、乾電池の交換を繰り返しても電極間の接触状態が安定し、かつ、簡易に乾電池の交換が可能な乾電池ケースを提供することを目的とする。
【課題を解決するための手段】
【０００７】
前記目的を達成するため請求項１に係る電池収納ケースは、乾電池を収納するための開口部と、一方の面に導電性部材により形成される電極が設けられた開口部を閉じる蓋と、電子機器の回路と接続し、乾電池の一方の極に接触し、かつ、該一方の極と相対する他方の極の方向に乾電池を付勢する導電性部材により形成される第１の付勢部材と、電子機器の回路と接続し、乾電池の他方の極側に設けられ、乾電池を収納する際に蓋を付勢する導電性部材により形成される第２の付勢部材と、を備えた乾電池収納ケースであって、蓋を第２の付勢部材の付勢に抗って押し込んで開口部を閉じることにより、乾電池の他方の極が蓋に取り付けられた電極に接触させるとともに、第２の付勢部材が電極に接触して、電子機器の回路と、乾電池の一方の極と他方の極とが接続されて乾電池が収納されることを特徴とする。
【０００８】
請求項２に係る電池収納ケースは、請求項１に記載の電池収納ケースにおいて、第２の付勢部材は、内径が収納する乾電池の外径よりやや大きい円柱状のコイルバネであり、該コイルバネに乾電池を貫通させて、乾電池を収納することを特徴とする。
【０００９】
請求項３に係る電池収納ケースは、請求項１または２に記載の電池収納ケースにおいて、蓋の側面には弾性部材で形成されるシール部材が取り付けられ、蓋が開口部を閉じると、開口部がシール部材でシーリングされることを特徴とする。
【００１０】
請求項４に係る電池収納ケースは、請求項３に記載の電池収納ケースにおいて、シール部材はＯリングであることを特徴とする。
【００１１】
請求項５に係る電池収納ケースは、請求項１乃至４のいずれか１項に記載の乾電池収納ケースにおいて、蓋の側面には少なくとも１つの凸部が設けられるとともに、開口部には該凸部と嵌合する案内溝と該案内溝と連結するロック部が設けられていることを特徴とする。
【００１２】
請求項６に係る電池収納ケースは、請求項１乃至５のいずれか１項に記載の乾電池収納ケースにおいて、蓋に設けられた電極の上面周辺部には、非導電性部材で形成され、高さが乾電池のプラス極端子の高さより低い、少なくとも１つスペーサが設けられていることを特徴とする。
【発明の効果】
【００１３】
請求項１に係る電池収納ケースでは、特許文献１に係る固定電極を、導電性部材により形成された、例えば、板バネやコイルバネ等の付勢部材（第２の付勢部材）にすることにより、電子機器の回路の電極として作用する付勢部材と蓋に設けられた電極とが安定して接触させることができる。また、固定電極に付勢部材を用いることにより、乾電池の交換を繰り返しても特許文献１のような電極の摩耗による接触不良も抑止することができる。さらに、付勢部材は蓋を外側に付勢することから、乾電池の交換の際、付勢部材の付勢力により蓋が外れ、容易に乾電池を取り出すことができるため、乾電池の交換が簡単にできる。
【００１４】
請求項２に係る電池収納ケースでは、第２の付勢部材に収納する乾電池の外径よりやや大きい内径を持つ、円柱状のコイルバネを用いて、コイルバネに乾電池を貫通させて乾電池を収納する。これにより、電子機器の回路の電極として作用する第２の付勢部材であるコイルバネの位置が安定するため、蓋を押し込んで開口部を閉じる際にも、コイルバネの位置が移動することなく、コイルバネと蓋に設けられた電極とを安定して接触させることができる。
【００１５】
請求項３に係る電池収納ケースでは、蓋の側面にシール部材を取り付け、蓋が乾電池収納ケースの開口部を閉じると蓋と開口部がシーリングすることで、防水性を得ることができる。
【００１６】
請求項４に係る電池収納ケースでは、シール部材としてＯリングを採用することにより、簡易に防水性を得ることができる。また、シール部材の交換も容易に行うことができる。
【００１７】
請求項５に係る電池収納ケースでは、蓋の側面に少なくとも１つの凸部を設け、乾電池収納ケースの開口部に該凸部と嵌合する案内溝と該案内溝と連結するロック部が設けることにより、蓋を開口部に取り付ける際に、蓋が予め決められた位置に押し込まれて保持することができる。これにより、乾電池と電子機器の回路とが安定して接続されるとともに、例えば、蓋の側面に防水のためのシール部材が取り付けられている場合も適切な位置にシール部材が配置されるため、安定した防水性を得ることができる。
【００１８】
請求項６に係る電池収納ケースでは、蓋に設けられた電極の上面周辺部に、非導電性部材で形成され、高さが乾電池のプラス極端子の高さより低い、少なくとも１つのスペーサが設けられている。そのため、蓋側に乾電池のマイナス極端子来るように、乾電池を収納すると、乾電池のマイナス極は、蓋に設けられた電極に接触しないことから、乾電池のプラス極とマイナス極とを逆にして乾電池を収納して生じる不具合を未然に防止することができる。
【図面の簡単な説明】
【００１９】
【図１】本発明にかかる一実施形態としての乾電池収納部を備えた電子機器の（Ａ）側面透視図、（Ｂ）上面透視図である。
【図２】本発明にかかる一実施形態としての乾電池収納部を備えた電子機器の（Ａ）正面透視図（Ｃ矢視図）、（Ｂ）Ａ−Ａ断面図、（Ｃ）Ｂ−Ｂ断面図である。
【図３】本発明にかかる一実施形態としての乾電池収納部に用いる電池蓋の（Ａ）正面図、（Ｂ）側面図、（Ｃ）後面図である。
【図４】電子機器の乾電池収納部に乾電池を収納する方法を説明する図（その１）である。
【図５】電子機器の乾電池収納部に乾電池を収納する方法を説明する図（その２）である。
【図６】電子機器の乾電池収納部に乾電池を収納する方法を説明する図（その３）である。
【図７】（Ａ）乾電池を正常に収納した場合、（Ｂ）乾電池を間違えて収納した場合、の電池蓋部分の拡大図である。
【発明を実施するための形態】
【００２０】
まず、本発明にかかる一実施形態としての乾電池収納部（乾電池ケース）を備えた電子機器１について図面を参照して説明する。尚、電子機器１は、収納した乾電池により内部の電子回路が駆動するものであれば、どのような機器でもよい。例えば、テレビやエアコンなどを操作するリモートコントローラや時計、卓上計算機など乾電池で駆動する電子機器であれば、本発明にかかる乾電池収納部を採用可能である。
【００２１】
図１は、本発明にかかる一実施形態としての乾電池収納部２を備えた電子機器１の乾電池を収納する前の（Ａ）側面透視図、（Ｂ）上面透視図である。電子機器１は、筐体９と、電子基板５と、乾電池を収納する乾電池収納部２と、その他、必要に応じて図示しないスイッチや液晶、ＬＥＤなどから構成される。そして、乾電池収納部２は、乾電池を挿入するための開口部３と、開口部３から奥の方に設けられ一端が電子基板５の電子回路と接続する導電部材（例えばステンレスなど）で形成される円錐状のコイルバネ７と、開口部３の手前に設けられ一端が電子基板５の電子回路と接続する導電部材（例えばステンレスなど）で形成される円柱状のコイルバネ６と、図面に対して左右方向に伸長し収納する乾電池を横方向に規制する２本の横ガイドリブ４、４と、収納する乾電池を縦方向に規制する２本の縦ガイドリブ８、８と、図４などで図示する、乾電池２０、２０と、開口部３を閉じる電池蓋１０とから構成される。ここで、２本の横ガイドリブ４、４は、図１の（Ｂ）に示すように、２本の横ガイドリブ４、４の各一方の端部（図面に対して右端部）をコの字に接続して形成してもよい。これにより、２本の横ガイドリブ４、４は互いに略並行に安定維持できる。このように、横ガイドリブ４、４と縦ガイドリブ８、８とにより、乾電池２０、２０は乾電池収納部２内に安定して収納される。
【００２２】
次に、乾電池収納部２の開口部３について図２を参照して説明する。
【００２３】
図２の（Ａ）は、図１の（Ａ）の矢印「Ｃ矢視」、すなわち、開口部３側からみたＣ矢視図である。そして、図２の（Ｂ）は、図２の（Ａ）におけるＡ−Ａ断面の断面図であり、図２の（Ｃ）は、図２の（Ａ）におけるＢ−Ｂ断面の断面図である。尚、Ａ−Ａ断面図およびＢ−Ｂ断面図は、いずれも本発明の特徴を明らかにするため、開口部３の周辺部のみ図示している。
【００２４】
開口部３は、外側（図面に対して左側）から、最大の開口径である第１開口部３ｂと、第１開口部３ｂよりやや開口径が小さい第２開口部３ｃと、後述する電池蓋１０のガイド板１１ｇと嵌合するガイド開口部３ｄとから構成され、第１開口部３ｂの上端位置と下端位置には回転規制リブ３ａ、３ａが設けられている。そして、ガイド開口部３ｄの後面３ｅは電池蓋１０のガイド板１１ｇのロック部として用いられる。また、図２の（Ａ）に示すように、コイルバネ６の中心と開口部１３の中心とは略同一となっており、乾電池がコイルバネ６を貫通して乾電池収納部２内に収納するようになっている。
【００２５】
次に、乾電池収納部２の開口部３を閉じる電池蓋１０について、図３を参照して説明する。図３の（Ａ）は、電池蓋１０の正面図であり、図３の（Ｂ）は、電池蓋１０の側面図、図３の（Ｃ）は、電池蓋１０の後面図である。
【００２６】
図３の（Ｂ）に示すように、電池蓋１０は電池蓋本体部１１と、Ｏリング１２と、導電部材で形成された板電極１３とから構成されている。電池蓋本体部１１は、外面部１１ｂと、開口部３の第１開口部３ｂと嵌合する円柱状の外蓋部１１ａと、外蓋部１１ａ側にＯリング押え１１ｆ、１１ｆと、板電極１３側に図面に対して上下に伸び端部が円弧状となっているガイド板１１ｇ、１１ｇが設けられた円柱形状の内蓋部１１ｅとからなる。Ｏリング１２は、外蓋部１１ａとＯリング押え１１ｆとの間に挿嵌されている。図３の（Ｃ）に示すように、板電極１３は、電池蓋本体部１１の後面の形状と略同形状に形成されており、ネジ１４、１４により電池蓋本体部１１の後面に取り付けられている。内蓋部１１ｅとガイド板１１ｇ、１１ｇとからなる電池蓋１０の後端部は、開口部３の規制開口部３ｄと嵌合するようになっている。
【００２７】
また、電池蓋本体部１１の後面には、２つの凸部１１ｈ、１１ｋが設けられている。２つの凸部１１ｈ、１１ｋは互いに異なる形状をしており、板電極１３には、２つの凸部１１ｈ、１１ｋに嵌合する貫通穴が設けられている。これにより、間違った方向に板電極１３が取り付けられることを防止できるようになっている。また、２つの凸部１１ｈ、１１ｋの高さは、収納する乾電池のプラス極端子の高さより低く設定してある。詳細は後述するが、これにより、乾電池の誤挿入を防止する。
【００２８】
また、外蓋部１１ａの側面には開口部１３の回転規制リブ３ａ、３ａに嵌合する２つの案内溝１１ｄ、１１ｄが外蓋部１１ａの中心に互いに対称となるように設けられている。これにより、電池蓋１０を開口部３に挿入して回転させる際に、案内溝１１ｄと回転規制リブ３ａとにより電池蓋１０の回転を規制する。
【００２９】
また、図３の（Ａ）に示すように、電池蓋１０の外面部１１ｂには、電池蓋１０を開口部３に取り付ける際に電池蓋１０を回転させるための陥没溝１１ｃと、電池蓋１０を取り付ける際の回転方向と電池蓋１０を取り外す際の回転方向とを指示する矢印１１ｍと文字「しまる」および「ゆるむ」とが成形されている。本実施形態では、陥没溝１１ｃは、コインを用いて電池蓋１０を回転できるように、円弧状の溝が形成されているが、溝の形状はこれに限定するものではなく、例えば、プラスドライバーやマイナスドライバー、六角レンチなどと嵌合する溝を形成してもよいし、第三者が勝手に電池蓋１０の取り外しができないように、特別な形状の溝を形成してもよい。
【００３０】
次に、乾電池収納部２に乾電池２０、２０を収納する手順について図４から６を参照して説明する。
【００３１】
図４の（Ａ）は、乾電池収納部２へ乾電池２０、２０を挿入する手順を説明する図であり、図４（Ｂ）および（Ｃ）は、乾電池収納部２へ乾電池２０、２０を挿入後、電池蓋１０にて開口部３を閉じる手順を説明する図である。図４の（Ａ）の矢印（１）に示すように、乾電池２０、２０は乾電池収納部２の開口部３から直列で挿入した後、電池蓋１０で開口部３を閉じて、乾電池２０、２０を本体ケース部１に収納する。尚、本実施形態では、乾電池２０のマイナス極端子２０ｂを本体ケース部１の奥側に配置したコイルバネ７に向けて挿入し、乾電池２０のプラス極端子２０ａを電池蓋１０側で押し込んで乾電池２０、２０を収納する。
【００３２】
乾電池収納部２の開口部３の手前に配置されたコイルバネ６の内径は乾電池２０の外径よりやや大きく設定され、かつ、上述のように、コイルバネ６の中心と開口部１３の中心とは略同一となっているため、開口部３から乾電池２０を挿入する際には、図４の（Ｂ）に示すように、コイルバネ６を貫通させて乾電池２０が収納される。乾電池２０、２０を挿入後、電池蓋１０を開口部３に挿入すると、電池蓋１０の板電極１３とコイルバネ６とが接触する。そして、図４の（Ｂ）の矢印（２）に示すように、コイルバネ６の付勢力に抗して電池蓋１０を押し込むと、矢印（３）に示すように、コイルバネ６が圧縮されて電池蓋１０の板電極１３と手前の乾電池２０のプラス極端子２０ａとが接触する。電池蓋１０の板電極１３と手前の乾電池２０のプラス極端子２０ａとが接触した状態で、さらに、電池蓋１０を押し込むと、奥側の乾電池２０のマイナス極端子２０ｂとコイルバネ７とが接触し、矢印（４）に示すように、コイルバネ７が圧縮され、電池蓋１０が開口部３の中に挿入される。すなわち、電池蓋１０を開口部３の中に挿入することにより、手前の乾電池２０のプラス極端子２０ａが電池蓋１０の板電極１３およびコイルバネ６を介して電子基板５の電子回路に接続するとともに、奥側の乾電池２０のマイナス極端子２０ｂがコイルバネ７を介して電子基板５の電子回路に接続する。これにより、乾電池２０のプラス極端子２０ａとマイナス極端子２０ｂとが電子基板５の電子回路を接続されるのである。
【００３３】
そして、図４の（Ｃ）の矢印（５）に示すように、電池蓋１０を回転させて、電池蓋１０を開口部３に保持することにより、挿入した乾電池２０、２０が乾電池収納部２内に収納保持される。ここで、本実施形態では、２つの乾電池２０、２０を直列に収納したが、他の実施形態では、乾電池は１つであってもよいし、３つ以上直列に収納してもよい。
【００３４】
次に、電池蓋１０が乾電池収納部２の開口部３を閉じて保持する手順について図５および図６を参照して説明する。図５は、開口部３の周辺部の図２の（Ａ）で図示したＡ−Ａ断面図（側面断面図）であり、図６は開口部３の周辺部の図２の（Ａ）で図示したＢ−Ｂ断面図（上面断面図）である。
【００３５】
まず、図５の（Ａ）に示すように、乾電池２０、２０を挿入した後、電池蓋１０をコイルバネ６の付勢力に抗して矢印（１）のように開口部３に向けて押し込むと、上述のように、電池蓋１０の板電極１３とコイルバネ６とが接触した状態でコイルバネ６が圧縮して（図５の（Ｂ）の矢印（２））手前の乾電池２０のプラス極端子と電池蓋１０の板電極１３とが接触する。
【００３６】
ここで、電池蓋１０の外蓋部１１ａと開口部３の第１開口部３ｂとは嵌合し、電池蓋１０の内蓋部１１ｅとガイド板１１ｇ、１１ｇとからなる電池蓋１０の後端部（以下、「ロック部」）は、開口部３の規制開口部３ｄと嵌合するようになっているため、電池蓋１０を図５の（Ａ）の矢印（１）の方向に押し込んでいくと、図５の（Ｂ）に示すように、電池蓋１０のロック部は開口部３の規制開口部３ｄの後面３ｅの位置を超えて奥に入り込む。第２開口部３ｃの径は電池蓋１０の外蓋部１１ａの径より小さいため、電池蓋１０のロック部は開口部３の規制開口部３ｄの後面３ｅの位置を超えた位置で、電池蓋１０は第２開口部３ｃで係止される。この状態において、電池蓋１０のロック部が開口部３の規制開口部３ｄの後面３ｅの後方に位置するため、電池蓋１０は回転自在になる。
【００３７】
ここで、図６の（Ａ）の矢印（１）に示すように、電池蓋１０を回転させると、垂直方向（図面に対して前後方向）に位置していた電池蓋１０のロック部のガイド板１１ｇ、１１ｇが、図６の（Ｂ）に示すように、水平方向（図面に対して上下方向）に回転移動する。開口部３の規制開口部３ｄの水平方向（図６において上下方向）の径はロック部のガイド板１１ｇ、１１ｇを含む径より小さいため、ガイド板１１ｇ、１１ｇは規制開口部３ｄの後面３ｅの位置で、コイルバネ６の付勢力により保持される。すなわち、乾電池収納部２に乾電池２０、２０を収納した状態で電池蓋１０が開口部３を閉じて保持されるのである。ここで、電池蓋１０のロック部が水平位置に回転移動させる際に、電池蓋１０の外蓋部１１ａの側面にある案内溝１１ｄが開口部３の回転規制リブ３ａにより、電池蓋１０の回転を係止するため、電池蓋１０を過度に回転することを抑止することができる。
【００３８】
また、Ｏリング１２の外径は、開口部３の第２開口部３ｃの内径よりやや大きいため、電池蓋１０により開口部３を閉じると、Ｏリング１２が開口部３の第２開口部３ｃの位置でシールして、開口部３が密閉される。これにより、乾電池収納部２は防水性が得られるのである。尚、Ｏリング１２は、防水性が必要な場合に、本実施形態のように取り付けられるが、防水性を必要としない場合は、Ｏリング１２はなくてもよい。
【００３９】
さらに、図６に示すように、乾電池２０のプラス極端子側がコイルバネ６に挿入しているため、上述のように電池蓋１０を回転させても、コイルバネ６の移動が抑止される。これにより、板電極１３とコイルバネ６とが安定して接触した状態で乾電池２０、２０を乾電池収納部２に収納することができる。また、電池蓋１０はコイルバネ６により付勢されているため、乾電池２０、２０を交換する際は、電池蓋１０はコイルバネ６の付勢力により外れ、簡易に乾電池２０、２０を交換することができる。
【００４０】
次に、乾電池２０、２０の誤挿入防止について図７を参照して説明する。図７の（Ａ）は、乾電池２０、２０を正常に収納した場合の、図７の（Ｂ）は、乾電池２０、２０を間違えて収納した場合の電池蓋１０の部分の拡大図である。
【００４１】
電池蓋本体部１１の後面にある２つの凸部１１ｈ、１１ｋの高さが収納する乾電池２０のプラス極端子２０ａの高さより低く設定してあるため、図７の（Ａ）にように、電池蓋１０の方にプラス極端子２０ａが来るように乾電池２０を正しく挿入した場合、乾電池２０のプラス極端子２０ａは電池蓋１０の板電極板３に接触するが、図７の（Ｂ）にように、誤って、電池蓋１０の方にマイナス極端子２０ｂが来るように乾電池２０を誤挿入した場合、乾電池２０のマイナス極端子２０ｂは凸部１１ｈ、１１ｋにより電池蓋１０の板電極板３に接触しない。そのため、乾電池２０を誤挿入しても、電子基板５の電子回路に逆電圧がかかることが抑止することができる。すなわち、乾電池２０、２０の誤挿入で生じる恐れがある不具合を未然に防止することができるのである。
【００４２】
ここで、乾電池収納部２は乾電池収納ケースの一例であり、乾電池２０、２０は乾電池の一例であり、開口部３は開口部の一例であり、電池蓋１０は蓋の一例であり、コイルバネ７は第１の付勢部材の一例であり、コイルバネ６は第２の付勢部材の一例であり、Ｏリング１２はシール部材またはＯリングの一例であり、ガイド板１１ｇ、１１ｇは蓋の側面には少なくとも１つの凸部の一例であり、規制開口部３ｄは案内溝の一例であり、規制開口部３ｄの後面３ｅはロック部の一例であり、凸部１１ｈ、１１ｋはスペーサの一例である。
【００４３】
以上、本発明の実施形態について詳述してきたが、これらはあくまでも例示であって、本発明はかかる実施形態における具体的な記載によって、何等、限定的に解釈されるものでなく、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることが、理解されるべきである。
【００４４】
例えば、上記実施形態では、第１の付勢部材や第２の付勢部材としてコイルバネ７やコイルバネ６を採用したが、これに限定するものではなく、板バネなども採用可能である。しかしながら、板バネはコイルバネに比べへたりやすいため、乾電池２０の交換頻度によっては接触不良などの不具合が生じやすい。
【００４５】
また、上記実施形態では、電池蓋本体部１１の後面にある２つの凸部１１ｈ、１１ｋを異なる形状としたが、板電極１３の形状によっては、同形状としてもよいし、乾電池２０のマイナス極端子２０ｂが板電極に接触しなければ凸部は１つであってもよい。また、上記実施形態では、２つの凸部１１ｈ、１１ｋは電池蓋本体部１１の後面に形成されて設けられているが、高さが乾電池２０のプラス極端子の高さより低い非導電性で形成されたスペーサを板電極１３上に接着などで装着してもよい。
【００４６】
また、上記実施形態では、電池蓋１０の外面部１１ｂに矢印１１ｍや文字「しまる」および「ゆるむ」を成形したが、これらは必ずしも必要ではないし、また、上記実施形態に限定することなく、適宜、適切な矢印や文字などを成形してもよい。
【００４７】
また、シール部材はＯリング１２に限定するものではなく、防水可能なシール部材であればよい。
【００４８】
また、上記実施形態では、電子機器１に対して１つの乾電池収納部２を備えた実施例を示したが、乾電池収納部２は１つに限定されるものでななく、複数あってもよい。
【００４９】
また、上記実施形態では、電池収納部２を備えた電子機器１について説明したが、電池収納部２のみを単体として構成してもよい。この場合、他の機器に接続するバッテリーとして用いることができる。
【符号の説明】
【００５０】
１・・電子機器
２・・電池収納部
３・・開口部
５・・電子基板
６、７・・コイルバネ
１０・・電池蓋
１２・・Ｏリング
１３・・板電極
２０・・乾電池
【図１】
2020030923.tif 000003
【図２】
2020030923.tif 000004
【図３】
2020030923.tif 000005
【図４】
2020030923.tif 000006
【図５】
2020030923.tif 000007
【図６】
2020030923.tif 000008
【図７】
2020030923.tif 000009